(57)【要約】【課題】十分なスペースが確保できない場合でも、確実に球詰まりを防止することが可能なタンクレールを提供する。【解決手段】タンクレール２０は２本の整列路２５を備え、底壁２１には第２段差部２７Ｂを介して、上流側に１条の上流側突条２６Ｕ、下流側に２条の下流側突条２６Ｌが設けられている。パチンコ球が第２段差部２７Ｂにて落ち込むと下流側突条２６Ｌで受け止められる。ここで、上流側突条２６Ｕではパチンコ球の最下点を支持するのに対して、下流側突条２６Ｌではパチンコ球の最下点より上位を支持するので、落下の前後で共にパチンコ球の最下点を支持するものに比較して第２段差部２７Ｂを落ち込む際のパチンコ球の落差を大きくすることができる。従って、第２段差部２７Ｂを通過するパチンコ球への衝撃を大きくしたり或いは団塊化したパチンコ球の構造を崩し易いので、球詰まりを効果的に防止することができる。【選択図】図２
2008178740.tif 000002
【特許請求の範囲】
【請求項１】
上流側の貯留タンクに蓄積されたパチンコ球を整列路に沿って流下させ、下流側の賞球制御部に対して供給する樋状のタンクレールであって、
前記整列路は、その途中に下流側を低くする段差部が設けられ、かつ、
この段差部の上流側はパチンコ球の最下点を支持するようになっている共に、段差部に隣接する部分であって段差部の下流側にはパチンコ球をその最下点より上位で支持する落下受け部が設けられていることを特徴とするタンクレール。
【発明の詳細な説明】
【技術分野】
【０００１】
本発明は、パチンコ球を貯留タンクから賞球制御部へ供給するタンクレールに関する。
【背景技術】
【０００２】
パチンコ機において賞球の払い出し個数を制御する賞球制御部へのパチンコ球の供給が停止してしまうと、賞球が十分に放出されなくなり、遊技者は極めて不快な思いをする。このようなパチンコ球の供給が停止してしまう原因として、貯留タンクから賞球制御部へパチンコ球を供給するタンクレールにおける球詰まりがあった。球詰まりはいくつかのパチンコ球が上下に積み重なって団塊化して、そのままの状態でタンクレール内に噛み込むことによって生ずる。
【０００３】
この球詰まりを解消するために、従来から取られていた手法として、タンクレールの底面に段差を設けて、その段差を乗り越える場合の衝撃を利用してパチンコ球の積み重なりを崩していた。
【特許文献１】特開平５−２３４２１号公報（図６）
【発明の開示】
【発明が解決しようとする課題】
【０００４】
ところが、近年、パチンコ機の表面側の遊技領域の拡大や図柄表示装置の大型化に伴なって、背面の機構板を配設するためのスペースが制限されてきた。それにより、機構板の上方に配設された貯留タンクと賞球制御部との上下間隔が狭くなり、タンクレールの勾配を十分に取ることや、タンクレールの底面に十分な段差を設けることが困難になってきた。このため、タンクレールを流れるパチンコ球の速度が遅くなって団塊化が促進される傾向にあり、団塊化したパチンコ球を崩す衝撃も得られにくいので、結果的に球詰まりを生じ易くなっていた。
【０００５】
本発明は上記のような事情に基づいて完成されたものであって、十分なスペースが確保できない場合でも、確実に球詰まりを防止することが可能なタンクレールの提供を目的とする。
【課題を解決するための手段】
【０００６】
上記の目的を達成するための手段として、本発明は、上流側の貯留タンクに蓄積されたパチンコ球を整列路に沿って流下させ、下流側の賞球制御部に対して供給する樋状のタンクレールであって、前記整列路は、その途中に下流側を低くする段差部が設けられ、かつ、この段差部の上流側はパチンコ球の最下点を支持するようになっている共に、段差部に隣接する部分であって段差部の下流側にはパチンコ球をその最下点より上位で支持する落下受け部が設けられている構成としたところに特徴を有する。
【０００７】
本発明によれば、パチンコ球が段差部にて落ち込むと落下受け部で受け止められる。ここで、上流側ではパチンコ球の最下点を支持するのに対して、落下受け部ではパチンコ球の最下点より上位を支持するので、落下の前後で共にパチンコ球の最下点を支持するものに比較して段差部を落ち込む際のパチンコ球の落差を大きくすることができる。従って、落下部を通過するパチンコ球への衝撃を大きくしたり或いは団塊化したパチンコ球の構造を崩し易いので、球詰まりを効果的に防止することができる。
【０００８】
本発明の実施の態様として、以下の構成が好ましい。
本発明は、上記に記載の構成において、前記整列路のうち前記段差部より上流側にはパチンコ球の最下点を支持する１条の突条が設けられ、前記段差部よりも下流側に設けられる前記落下受け部は相互に所定間隔を保有しつつパチンコ球の流れ方向に沿って延びる２条の突条によって形成されている構成としてもよい。
このような構成によると、段差部の上流側では１条の突条の両側にパチンコ球の左右両側部分の付着物を落下させることができ、段差部の下流側では２条の突条の間にパチンコ球の中央部分の付着物を落下させることができる。これにより、パチンコ球全体の付着物を取り除くことができるので、付着物に起因した球詰まりを防止することができる。
【０００９】
本発明は、上記のいずれかに記載の構成において、前記整列路の底面には、パチンコ球の付着物をタンクレールの外部に排出するための開口部が設けられている構成としてもよい。
このような構成によると、パチンコ球から取り除いた付着物を開口部から落下させることができるので、タンクレール内に付着物が蓄積することを防止できる。
【００１０】
本発明は、上記のいずれかに記載の構成において、前記整列路は前記段差部の上流側よりも下流側の方が急勾配に形成される構成としてもよい。
このような構成によると、下流側の方が上流側よりも急勾配なので下流側に達したパチンコ球をより加速することができ、先行するパチンコ球を後続のパチンコ球よりも先に流下させるので、球詰まりをより効果的に規制することが可能となる。
【発明の効果】
【００１１】
本発明によれば、十分なスペースが確保できない場合でも、確実に球詰まりを防止することができる。
【発明を実施するための最良の形態】
【００１２】
以下、本発明の一実施形態を添付図面に基づいて説明する。
表面側に図示しない遊技板を備えるパチンコ機１０は、図１に示すように背面側に機構板１１を備えると共に機構板１１の上方には貯留タンク１２が配設されている。
【００１３】
貯留タンク１２は、パチンコ球を予め蓄積しておくためのものであり、また、機構板１１には、賞球皿（図示なし）へ所定量の賞球を配給する賞球制御部１３が設けられている。
【００１４】
そして、貯留タンク１２と賞球制御部１３との間にはタンクレール２０が配設されており、貯留タンク１２内のパチンコ球がタンクレール２０を介して賞球制御部１３に供給される構成となっている（図３参照）。また、タンクレール２０は貯留タンク１２側（上流側）から賞球制御部１３側（下流側）へ向けて緩やかな勾配を持つように設けられている。
【００１５】
本実施形態に係るタンクレール２０は、導電性を有する樹脂製で、図２に示すように底壁２１の両側に垂直に起立する側壁２２を備えた樋状をなしていると共に、タンクレール２０の上流側（図２の左上方側）端部には底面を滑らかな球面状に形成した球受部２３が設けられている。球受部２３は貯留タンク１２から落下してきたパチンコ球の外部への飛び出しを規制して、パチンコ球を円滑にタンクレール２０内に進入させるようになっている。
【００１６】
また、タンクレール２０の両側壁２２，２２は球受部２３と同幅をもって連続しており、それぞれは僅かな相違はあるものの基本的には対称形状をなしている。すなわち、両側壁２２，２２は球受部２３から下流側へ向けてほぼ半分の範囲は徐々に高さを増すように形成されており、そこから先は緩やかな円弧面をもって徐々に下り勾配をなすように形成されている。
【００１７】
球受部２３に連続したタンクレール２０の底壁２１には、図２に示すように、幅方向の中央部に長手方向に延びる仕切壁２４が側壁２２と平行に底壁２１から垂直に起立して設けられて、仕切壁２４を境に、パチンコ球を二手に分流させるようにしている。ここで、仕切壁２４と左右の両側壁２２，２２との間隔はパチンコ球の直径よりも僅かに幅広に設定され、二手に分流させたパチンコ球を下流側へ至るに連れて１列に絞り込むための整列路２５が形成されている。
【００１８】
また、仕切壁２４は、上流側の途中を始端として長さ方向中央部に至るまでの範囲が徐々に高さを増すように形成され、これに連続して急激に立ち上る立ち上り部２４Ａが形成されている。そして、仕切壁２４は立ち上り部２４Ａから下流に向けて下り勾配となり、その後、整列路２５の終端に至るまでの間は、同一高さとなっている。
【００１９】
また、各整列路２５の底壁２１にはパチンコ球を浮かせた状態で流下させるための突条２６が設けられている。突条２６は上流側部分と下流側部分とで形態を異にしており、上流側部分では底壁２１の中央部に１条が突出する形態の上流側突条２６Ｕとなっており、下流側部分では２条に分かれた形態の下流側突条（本願の「落下受け部」に相当する）２６Ｌとなっている。上流側突条２６Ｕと下流側突条２６Ｌとの境界部分では上流側突条２６Ｕの終端部が下流側突条２６Ｌの間に入り込むように設けられている。
【００２０】
突条２６を設けた理由は、パチンコ球に付着しているゴミ等を整列路２５の底面へ落下させるためであり、さらに、落下したゴミをさらにタンクレール２０外へ排出するために底壁２１に多数の開口部２９が設けられている。この実施形態では、上流側突条２６Ｕに対応した部分には突条の両側に開口部２９が配設されており、下流側突条２６Ｌに対応する部分では突条同士の間に開口部２９が配設されている。
【００２１】
また、上流側突条２６Ｕは、流れ方向の中央部分に下流側を低くする第１段差部２７Ａが設けられている。上流側突条２６Ｕは、第１段差部２７Ａを境に２段階に勾配が変更してあり、第１段差部２７Ａの上流側前半部が緩い勾配で球を通過させる低速部Ｌを構成し、第１段差部２７Ａの下流側後半部はより勾配の急な中速部Ｍを構成している。さらに、下流側突条２６Ｌは、中速部Ｍよりもさらに急勾配に設定された高速部Ｈとなっている。そして、上流側突条２６Ｕの終端部には下流側突条２６Ｌ側を低くするように第２段差部２７Ｂが形成されている。この第２段差部２７Ｂが設けられている位置は仕切壁２４における立ち上り部２４Ａよりも僅かに下流側に設定されている。尚、第１段差部２７Ａは、両側壁２２，２２のうち、図２に示す奥側のものの頂点部分と流れ方向に関する位置がほぼ同じになるように設定されている。
【００２２】
さらに、タンクレール２０の下流側半分の上側開口には天井板３０が配設されている。具体的には天井板３０は側壁２２のうち奥側の頂点部からタンクレール２０の下流端に至るまでの範囲に亘って設けられている。この天井板３０は、側縁の前後両端部と中央部との３箇所に係止凸部３０Ａが設けられており、この係止凸部３０Ａが側壁２２に設けられた係止孔部２２Ａと係合して固定されるようになっている。
【００２３】
図４に示すように、天井板３０の上流側端部は上反り気味に形成された導入部３０Ｅとなっており、低速部Ｌの下流部分で積み上げられたパチンコ球を徐々に絞り込みながら天井板３０下方へ円滑に導入するようにしている。天井板３０は、導入部３０Ｅの先端側から高速部Ｈの中央部に至るまでの範囲がほぼ直線的に次第に高さを減ずるように形成された傾斜部３０Ｓとなっており、それに続いて高速部Ｈの残り部分がほぼ均一高さをもった平坦部３０Ｆとなっている。
【００２４】
さて、天井板３０の内面であって、第２段差部２７Ｂに対応する箇所から下流側への所定の長さ範囲に亘って、上流側にずらし凸部３３が、下流側に案内凸部３２が連続して配されている。
【００２５】
ところで、本願は天井板３０によってパチンコ球の積み上げ個数を絞るようにしているが、最終的に１個ずつのパチンコ球を通過させる高さにまで絞り込む過程でパチンコ球の噛み込みが懸念される。噛み込みを生ずる場合の原始的モデルとして、次の２形態がある。１つは前後に位置ずれすることなく積み重なった２個のパチンコ球（以下、「２個モデル」という）が絞り込み部分の比較的上流側に突入した場合である。他の１つは、２個モデルのように積み重なったパチンコ球が前後に位置ずれして上側のパチンコ球が後方へ崩れるのに伴ない、下側のパチンコ球のすぐ後方を流下してきたパチンコ球に乗り上げて３個１塊となって積み重なったもの（以下、「３個モデル」という）が絞り込み部分の比較的下流側に突入した場合である。尚、説明の便宜上、３個モデルにおいて下側の先頭に位置するパチンコ球を「先頭球」、下側で先頭球の後方に位置するパチンコ球を「後続球」、先頭球と後続球との上方に乗り上げたパチンコ球を「乗上球」という。
【００２６】
そして、本実施形態において、ずらし凸部３３は、前者の２個モデルに対応するものであり、案内凸部３２は後者の３個モデルに対応するものである。
【００２７】
ずらし凸部３３は２個モデルの下側のパチンコ球が第２段差部２７Ｂに達する直前において２個モデルの上側のパチンコ球に当接する位置に配置されたものである（図４参照）。
【００２８】
ずらし凸部３３は緩やかな円弧面をもって突出するように形成され、図４に示すように、２個モデルが第２段差部２７Ｂに至る直前において、上側のパチンコ球の頂上部よりも前方寄りの位置をずらし凸部３３の頂点が当接するように形成されている。これにより、上側のパチンコ球は後方へずらされ、その状態で下側のパチンコ球が第２段差部２７Ｂへ落ち込むため（図６参照）、噛み込みが確実に規制される。
【００２９】
一方、案内凸部３２は、上記したずらし凸部３３にその裾野部分が連続するように形成されている。この裾野部分は３個モデルの先頭球が第２段差部２７Ｂに落ち込んだとき、即ち、先頭球の落ち込みに伴い３個モデル全体が前のめり状態に姿勢が変化したときに乗上球と当接するようになっている（図９参照）。これにより、乗上球は制動され、一方先頭球は高速部Ｈへ移行することによって、速度が速められることから先頭球が他のパチンコ球から離れる。つまり、３個モデルの態勢が崩れ、乗上球が先頭球と後続球との間に落ち込む。
【００３０】
また、案内凸部３２の頂点部以降においては、整列路２５の底面から案内凸部３２までの高さ寸法が３個モデルの積み上げ高さよりも小さくしてある。さらに、案内凸部３２の下流側端部よりも下流側は案内凸部３２の下流側の高さを保持したまま下流端に至っている。このことは、案内凸部３２の頂点部を通過した後はパチンコ球の再度の積み上がりが規制されてパチンコ球の噛み込みを生じ得ないことを意味している。かくして噛み込みが規制され、案内凸部３２以後は積み上げのない状態で１個ずつ流下していく。
【００３１】
続いて、本実施形態のタンクレール２０を流下するパチンコ球の動きについて説明する。
【００３２】
パチンコ球は貯留タンク１２からタンクレール２０の球受部２３に流し込まれる。このとき、球受部２３の底壁２１は球面上に形成されているので、パチンコ球は外部に飛び出すことなく底壁２１へと至る。
【００３３】
底壁２１では直ちに仕切壁２４によって左右の整列路２５に分岐されて更に下流側へ流下していく。このとき、整列路２５を通過するパチンコ球は、幅方向に一列ずつ並んでいるが、整列路２５の上方が開口しており、所々でパチンコ球同士が上下に重なり合って団塊化しながら流下していく。団塊化したパチンコ球の一部は、整列路２５の第１段差部２７Ａを通過することで崩されるものもあるが、団塊化したままで流下していくものもある。
【００３４】
そして、団塊化したパチンコ球が上流側突条２６Ｕの上を転がって行くと（図４、８参照）、まず、ずらし凸部３３に当接し、２個モデルの積み重なりが崩される（図６参照）。そして、第２段差部を落ち込む際に案内凸部３２に当接して３個モデルの積み重なりが崩される（図９参照）。かくして１個ずつの積み上げのない状態で下流側突条２６Ｌを流下していく。
【００３５】
さらに、本実施形態では、第２段差部２７Ｂを境界に１条の突条で構成される上流側突条２６Ｕから２条の突条で構成される下流側突条２６Ｌへ移る。ここで、１条の突条２６ではパチンコ球の最下点を支持するのに対して、２条の突条２６であればパチンコ球における最下点の両側の最下点よりも高い位置を支持する。すなわち、上流側突条２６Ｕから下流側突条２６Ｌへ移る際、上流側突条２６Ｕの上端面の高さと下流側突条２６Ｌの上端面の高さとの差異よりも、パチンコ球の実際の落差は大きくなっている（図７の１点鎖線参照）。
【００３６】
このように本実施形態によれば、２個モデルや３個モデルのような団塊化したパチンコ球をタンクレール２０内に噛み込ませることなく流下させることができる。従って、貯留タンク１２と賞球制御部１３との間隔が狭くなってタンクレール２０の勾配が十分に確保できない場合でも、確実に球詰まりを防止することが可能となる。
【００３７】
さらに、本実施形態では、第２段差部２７Ｂにおけるパチンコ球の落差を突条２６同士の高さの差異よりも大きくして、第２段差部２７Ｂを通過する際のパチンコ球の姿勢の変化を大きくすることができたので、より効果的に球詰まりを防ぐことが可能となる。
【００３８】
また、上流側突条２６Ｕでは１条の突条の両側にパチンコ球の左右両側部分の付着物を落下させることができ、下流側突条２６Ｌでは２条の突条の間にパチンコ球の中央部分の付着物を落下させることができる。これにより、パチンコ球全体の付着物を取り除くことができるので、付着物に起因した球詰まりを防止することができる。
【００３９】
さらに、本実施形態では整列路２５の底面に開口部２９が設けられており、パチンコ球から落下したゴミ等が開口部２９を通じて排出でき、整列路２５内に蓄積することを防止できる。
【００４０】
また、案内凸部３２及びずらし凸部３３が設けられた天井板３０は、前後の端縁部と共に、中央部の３箇所でもって側壁２２に固定されているので、天井板３０の浮上りによる、案内凸部３２やずらし凸部３３の位置ずれを防止して、確実に球詰まりを防止することが可能となる。
【００４１】
さらに、本実施形態ではずらし凸部３３と案内凸部３２が長さ方向に連続したリブ形状になっているので、傾斜部３０Ｓの変形を規制することができる。したがって、案内凸部３２やずらし凸部３３の高さ位置を設定位置に保持することが可能となる。
【００４２】
また、本実施形態は、案内凸部３２及びずらし凸部３３は天井板３０に固定されたものであるので、高さ位置が変化することなくパチンコ球に対して位置ずれすることなく確実に接触させることが可能となる。
【００４３】
また、本実施形態では側壁２２と仕切壁との幅方向の間隔すなわち整列路２５の幅方向の間隔がパチンコ球の直径よりも僅かに大きく設定されている。これにより、パチンコ球と側壁２２及び仕切壁との間に僅かに隙間が生じているので、パチンコ球を挿通させ易く、また、上に乗っているパチンコ球が崩れる際の幅方向の自由度が高まるから、パチンコ球を崩し易い。
【００４４】
また、本実施形態ではパチンコ球の積み重なりを崩す第２段差部２７Ｂの上流側の上流側突条２６Ｕにおいて、低速部Ｌよりも中速部Ｍの行程が短くなるように形成されている。これにより、第２段差部２７Ｂに進入するパチンコ球の速度が過度に大きくなって噛み込みが生じ易くなることを規制して、球詰まりを防止することが可能である。
【００４５】
さらに、本実施形態では、パチンコ球を賞球制御部１３に供給する直前の下流側突条２６Ｌは２条の突条でもって、パチンコ球の底面を２点で支持するので、パチンコ球を支持する底面が平坦面のものや上流側突条２６Ｕのような１条の突条のもののようにパチンコ球の底面を１点で支持するものに比べてパチンコ球の流れを安定させることができ、賞球制御部１３に対してパチンコ球を安定的に供給することが可能となる。
【００４６】
尚、本実施形態のタンクレール２０は導電性樹脂で形成され、図示はしていないが、タンクレール２０はアースが取られているので、パチンコ球への静電気の帯電が防止されており、パチンコ機１０の電子部品等に悪影響を及ぼすことがない。
【００４７】
＜他の実施形態＞
本発明は上記記述及び図面によって説明した実施形態に限定されるものではなく、例えば次のような実施形態も本発明の技術的範囲に含まれる。
【００４８】
（１）上記実施形態の天井板３０は平板状をなしていたが、図１０に示すように上面側の両側端縁に長手方向に延びる側縁リブ３４が形成されると共に、案内凸部３２及びずらし凸部３３が配設された反対側の面に、幅方向に延びる補強リブ３５が形成されたものであってもよい。これにより、天井板３０の反り変形を規制して、案内凸部３２及びずらし凸部３３の高さ位置に変動を生ずるのを未然に防止している。
【００４９】
また、図１０に示す天井板３０において、補強リブ３５は案内凸部３２とずらし凸部３３が設けられている長さ領域内に配設されているので案内凸部３２及びずらし凸部３３の位置ずれをより確実に防ぐことが可能となる。
【００５０】
尚、天井板３０は上記の側縁リブ３４或いは補強リブ３５のいずれか一方のみを備えたものであってもよい。
【００５１】
（２）上記実施形態では案内凸部３２又はずらし凸部３３は断面円弧状をなすものであったが、断面多角形状をなすものであってもよい。
【００５２】
（３）上記実施形態に係る案内凸部３２及びずらし凸部３３はパチンコ球との当接面の断面形状が平坦面をなしていたが、パチンコ球との当接面の断面形状が球面のように曲面状をなすものであってもよい。
【００５３】
また、案内凸部３２（案内部）及びずらし凸部３３（ずらし部）とはパチンコ球の流れ方向に沿った突条をなしていたが、案内部又はずらし部がパチンコ球の流れ方向に沿った溝状に形成されたものであってもよい。
【００５４】
（４）上記実施形態では、突条２６の上端面の断面形状は平坦面となっていたが、突条の状端面の断面形状が球面状のような曲面をなすものであってもよい。
（５）上記実施形態では第２段差部２７Ｂの上流側に１条の突条２６からなる上流側突条２６Ｕが設けられていたが、第２段差部２７Ｂの上流側は整列路２５の底面が平坦面をなすものであってもよい。
【００５５】
（６）上記実施形態はタンクレール２０を導電性樹脂で形成してアースを取ることで帯電防止がなされていたが、図１１，１２に示すように、下流側突条２６Ｌの第２段差部２７Ｂの下流側に隣接する箇所に導電板２８を敷設し、この導電板２８でアースをとるような構成とするものであってもよい。このような構成によれば、例えば３個モデルが第２段差部２７Ｂを落ち込む際に他のパチンコ球から瞬間的に離脱した先頭球を導電板２８に接触させることで、先頭球に帯電していた電荷のみを除去させることができるので、複数個のパチンコ球に帯電している電荷を除去する場合に比べて電位差が小さくなり、周辺の電子機器に影響を及ぼす怖れのあるノイズを小さくすることが可能となる。
【００５６】
また、このようにアースを取る導電板は図１１，１２に示すような薄板の導電板２８を整列路の底面形状に沿って曲げ加工してなるものでも、図１３，１４のように下流側突条２６Ｌの突条の幅と同じ肉厚の導電板２８Ａをタンクレールの底壁２１に貫通させるように差し込んで形成したものであってもよい。
【００５７】
（７）上記実施形態では独立したタンクレール２０であったが、貯留タンク１２或いは賞球制御部１３に一体に形成されたものであってもよく、また、案内凸部３２又は第２段差部２７Ｂのいずれか一方が貯留タンク或いは賞球制御部に一体に形成されたものであってもよい。
【００５８】
（８）上記実施形態のタンクレール２０は、２本の整列路２５を備えるものであったが、整列路２５を１本或いは３本以上備えるものであってもよい。
【００５９】
（９）上記実施形態では案内凸部３２及びずらし凸部３３は各整列路２５に１条で形成されていたが、各整列路２５に２条ずつ形成されるものや天井板３０の全幅に亘って形成されるものでもよい。
【００６０】
（１０）上記実施形態では突条２６が第１段差部２７Ａ及び第２段差部２７Ｂを越えるごとに順に勾配が急になるように変化させたが、勾配を等しくしたものであってもよい。また、上記実施形態では勾配を３段階に変化させたが２段階に変化させたり、４段階以上に変化させたりするものであってもよい。
【００６１】
（１１）上記実施形態のタンクレール２０に対して、団塊化したパチンコ球が底壁２１と天井板３０との双方に接触した際に底壁２１と天井板３０との間に電流が流れるようにして、この電流を検知して振動する振動機を取り付けたものであってもよい。
【００６２】
（１２）また、上記実施形態は本発明をパチンコ機に適用したものであったが、パチンコ機以外の遊技機に適用したものであってもよい。ここで、遊技機とは、パチンコ機やスロットマシン、あるいはパチンコ機とスロットマシンとを融合させたものを含む。パチンコ機の基本構成としては、操作ハンドルを備え、その操作ハンドルの操作に応じて球を所定の遊技領域へ発射し、球が遊技領域内の所定の位置に配設された作動口に入賞（又は作動ゲートを通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【００６３】
また、スロットマシンの基本構成としては、複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段を備えたものが挙げられる。この場合、遊技媒体は、コイン、メダル等が代表例として挙げられる。
【００６４】
また、パチンコ機とスロットマシンとを融合させたものの基本構成としては、複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段を備え、遊技媒体として球を使用するとともに、前記識別情報の動的表示の開始に際しては所定数の球を必要とし、特別遊技状態の発生に際しては多くの球が払い出されるように構成されたものが挙げられる。
【００６５】
本発明の目的を達成する為に上記実施形態から把握できるその他の技術的思想について下記に説明する。また、下記［１］乃至［１６］のいずれかを任意で組み合わせたものも本願の技術的思想に含まれる。
【００６６】
［１］前記段差部の上流側における前記整列路の底壁に下流側を低くする予備段差部が設けられていることを特徴とするタンクレール。
このような構成によれば、段差部に進入する前の段階において、予備段差部でもってパチンコ球の積み重なりを予備的に崩すことができる。
【００６７】
［２］前記段差部の上流側における前記整列路の底壁に下流側を低くする予備段差部が設けられていると共に、前記予備段差部の下流側の底壁の勾配を前記予備段差部の上流側の勾配よりも急勾配とし、かつ、前記予備段差部の下流側の行程を上流側の行程よりも短くなるように形成されたことを特徴とするタンクレール。
このような構成によれば、段差部に進入するパチンコ球の速度が過度に大きくなって噛み込みが生じ易くなることを規制して、球詰まりを防止することが可能である。
【００６８】
［３］前記整列路の底壁に下流側を低くする段差部が設けられると共に、前記段差部の下流側の底壁の勾配を上流側の勾配よりも急勾配とし、かつ、前記段差部の上流側の行程を全体の行程の２分の１以上とすることを特徴とするタンクレール。
段差部の上流側の行程を全体の行程の２分の１以上とすることにより、所定の長さを有し、かつ、所定の高低差を備える整列路において、勾配の緩い段差部の上流側の行程が長くなって、残りの行程における高低差が大きくなる。これにより、段差部の下流側の行程をより急勾配に形成できるので、段差部の上流側と下流側とを流下するパチンコ球の速度差を大きくして、先行するパチンコ球に後方のパチンコ球が追いついて球詰まりが生ずることを確実に防止することが可能となる。
【００６９】
［４］前記整列路における底壁に突条が形成されているところに特徴を有するタンクレール。
パチンコ球は突条の上を通過させ、突条に隣接して低くなった箇所にパチンコ球に付着したゴミ等を落下させることができ、落下したゴミ等が後続のパチンコ球に再度付着することを防止できる。
【００７０】
［５］パチンコ球を前記賞球制御部に供給する直前の底壁に２条の突条が形成されていることを特徴とするタンクレール。
このような構成によれば、パチンコ球を賞球制御部に供給する直前の底壁では２条の突条でもって、パチンコ球の底面を２点で支持するので、パチンコ球を支持する底面が平坦面のものや１条の突条のもののようにパチンコ球の底面を１点で支持するものに比べてパチンコ球の流れを安定させることができ、賞球制御部に対してパチンコ球を安定的に供給することが可能となる。
【００７１】
［６］前記整列路の底壁に形成された突条の上端面の断面形状は平坦面となっているところに特徴を有するタンクレール。
突条の上端面が平坦面なので、突条を通過するパチンコ球が蛇行しても突条の幅の範囲内で安定して通過させることができる。
【００７２】
［７］前記整列路の底壁に形成された突条の上端面の断面形状が球面状のような曲面をなすところに特徴を有するタンクレール。
突条の上端面が曲面をなすので、パチンコ球との摩擦を低減させ、円滑に通過させることが可能となる。
【００７３】
［８］前記整列路における前記段差部の上流側の底壁が平坦面をなすところに特徴を有するタンクレール。
平坦面なのでパチンコ球が蛇行しても安定して通過させることが可能となる。
【００７４】
［９］前記整列路の幅方向の間隔がパチンコ球の直径よりも僅かに大きく設定されていることを特徴とするタンクレール。
整列路の幅方向の間隔がパチンコ球の直径よりも僅かに大きく設定されているので、パチンコ球を挿通させ易く、また、上に乗っているパチンコ球が崩れる際の幅方向の自由度が高まるから、パチンコ球を崩し易い。
【００７５】
［１０］本体を導電性樹脂で形成すると共に前記本体に対してアース接続することを特徴とするタンクレール。
帯電防止が図ることが可能となる。
【００７６】
［１１］前記整列路における前記段差部の下流側に隣接させて導電板が敷設されて、この導電板がアース接続されたことを特徴とするタンクレール。
このような構成によれば、例えば３個モデルが第２段差部２７Ｂを落ち込む際に他のパチンコ球から瞬間的に離脱した先頭球を導電板２８に接触させることで、先頭球に帯電していた電荷のみを除去させることができるので、複数個のパチンコ球に帯電している電荷を除去する場合に比べて電位差が小さくなり、周辺の電子機器に影響を及ぼす怖れのあるノイズを小さくすることが可能となる。
【００７７】
［１２］前記導電板は前記整列路の底面形状に沿って曲げ加工した薄板状をなすことを特徴とするタンクレール。
整列路に対する敷設が容易である。
【００７８】
［１３］前記導電板は突条の幅と同じ板厚で整列路の底壁に貫通させて前記突条を形成するところに特徴を有するタンクレール。
板状の導電板を差し込むことにより形成できるので、組付けが容易である。
【００７９】
［１４］前記噛み込み規制部の前記案内部又は前記段差部のいずれか一方又は双方が前記貯留タンク或いは前記賞球制御部に一体に形成されたことを特徴とするタンクレール。
一体に形成されているので、組付けが容易である。
【００８０】
［１５］前記整列路において球詰まりを検知する検知手段を備えると共に、前記検知手段による球詰まりの検知によって駆動されて前記整列路を振動させる振動機を備えたことを特徴とするタンクレール。
検知機能が整列路における球詰まりを検知すると振動機が整列路を振動させて、パチンコ球の積み重なりを崩すことができるので、球詰まりを一層確実に防ぐことが可能となる。
【００８１】
［１６］前記整列路において底壁と天井壁とに端子部が臨ませてあり、前記端子部間が団塊化したパチンコ球で接触されて振動機の駆動回路が閉成されることを特徴とするタンクレール。
団塊化したパチンコ球が底壁と天井壁との双方の端子部に接触した瞬間に駆動回路が閉成されて振動機が振動する構成であるので、球詰まりの検知を容易に行うことが可能となる。
【図面の簡単な説明】
【００８２】
【図１】パチンコ機の背面図
【図２】タンクレールの分解斜視図
【図３】タンクレールの断面図
【図４】２個モデルが第２段差部に達する直前に係るタンクレールの拡大断面図
【図５】図４のＸ−Ｘにおける断面図
【図６】２個モデルが第２段差部を通過中に係るタンクレールの拡大断面図
【図７】図６のＹ−Ｙにおける断面図
【図８】３個モデルが第２段差部に達する直前に係るタンクレールの拡大断面図
【図９】３個モデルが第２段差部を通過中に係るタンクレールの拡大断面図
【図１０】他の実施形態に係る天井板の斜視図
【図１１】他の実施形態に係るタンクレールの拡大断面図
【図１２】図１１のＺ−Ｚにおける断面図
【図１３】他の実施形態に係るタンクレールの拡大断面図
【図１４】図１４のＷ−Ｗにおける断面図
【符号の説明】
【００８３】
１２…貯留タンク
１３…賞球制御部
２０…タンクレール
２５…整列路
２６Ｌ…下流側突条（落下受け部）
２７Ｂ…第２段差部（段差部）
２９…開口部
【図１】
2008178740.tif 000003
【図２】
2008178740.tif 000004
【図３】
2008178740.tif 000005
【図４】
2008178740.tif 000006
【図５】
2008178740.tif 000007
【図６】
2008178740.tif 000008
【図７】
2008178740.tif 000009
【図８】
2008178740.tif 000010
【図９】
2008178740.tif 000011
【図１０】
2008178740.tif 000012
【図１１】
2008178740.tif 000013
【図１２】
2008178740.tif 000014
【図１３】
2008178740.tif 000015
【図１４】
2008178740.tif 000016
【手続補正書】
【提出日】平成20年5月21日(2008.5.21)
【手続補正１】
【補正対象書類名】特許請求の範囲
【補正対象項目名】全文
【補正方法】変更
【補正の内容】
【特許請求の範囲】
【請求項１】
上流側の貯留タンクに蓄積されたパチンコ球を整列路に沿って流下させ、下流側の賞球制御部に対して供給する樋状のタンクレールであって、
前記整列路は、その途中に下流側を低くする段差部と、この段差部の上流側に設けられパチンコ球の最下点を支持する最下点受け部と、前記段差部に隣接する部分であって段差部の下流側に設けられパチンコ球をその最下点より上位で支持しつつ前記整列路の底壁に対してパチンコ球を浮かせた状態で流下させる落下受け部とを一体に備え、
前記段差部は、前記最下点受け部の下流端よりも前記落下受け部の方が低くなるように形成されていることを特徴とするタンクレール。
【請求項２】
前記最下点受け部はパチンコ球の流れ方向に沿って延びる１条の突条によって形成され、前記落下受け部は相互に所定間隔を保有しつつパチンコ球の流れ方向に沿って延びる２条の突条によって形成されていることを特徴とする請求項１に記載のタンクレール。
【請求項３】
前記整列路の底面には、パチンコ球の付着物をタンクレールの外部に排出するための開口部が設けられていることを特徴とする請求項１または請求項２に記載のタンクレール。
【請求項４】
前記整列路は、前記最下点受け部と前記落下受け部が共に流れ方向に直線状をなし、前記落下受け部の下流端が前記賞球制御部に連結され、前記最下点受け部よりも前記落下受け部の方が急勾配に形成されることを特徴とする請求項１ないし請求項３のいずれか一項に記載のタンクレール。
【手続補正２】
【補正対象書類名】明細書
【補正対象項目名】０００６
【補正方法】変更
【補正の内容】
【０００６】
上記の目的を達成するための手段として、本発明は、上流側の貯留タンクに蓄積されたパチンコ球を整列路に沿って流下させ、下流側の賞球制御部に対して供給する樋状のタンクレールであって、前記整列路は、その途中に下流側を低くする段差部と、この段差部の上流側に設けられパチンコ球の最下点を支持する最下点受け部と、前記段差部に隣接する部分であって段差部の下流側に設けられパチンコ球をその最下点より上位で支持しつつ前記整列路の底壁に対してパチンコ球を浮かせた状態で流下させる落下受け部とを一体に備え、前記段差部は、前記最下点受け部の下流端よりも前記落下受け部の方が低くなるように形成され、前記整列路の下流側半分の上側開口には天井板が配設されているところに特徴を有する。
【手続補正３】
【補正対象書類名】明細書
【補正対象項目名】０００８
【補正方法】変更
【補正の内容】
【０００８】
本発明の実施の態様として、以下の構成が好ましい。
本発明は、上記に記載の構成において、前記最下点受け部はパチンコ球の流れ方向に沿って延びる１条の突条によって形成され、前記落下受け部は相互に所定間隔を保有しつつパチンコ球の流れ方向に沿って延びる２条の突条によって形成されている構成としてもよい。
このような構成によると、段差部の上流側では１条の突条の両側にパチンコ球の左右両側部分の付着物を落下させることができ、段差部の下流側では２条の突条の間にパチンコ球の中央部分の付着物を落下させることができる。
【手続補正４】
【補正対象書類名】明細書
【補正対象項目名】００１０
【補正方法】変更
【補正の内容】
【００１０】
本発明は、上記のいずれかに記載の構成において、前記整列路は、前記最下点受け部と前記落下受け部が共に流れ方向に直線状をなし、前記落下受け部の下流端が前記賞球制御部に連結され、前記最下点受け部よりも前記落下受け部の方が急勾配に形成される構成としてもよい。
このような構成によると、下流側の方が上流側よりも急勾配なので下流側に達したパチンコ球をより加速することができ、先行するパチンコ球を後続のパチンコ球よりも先に流下させるので、球詰まりをより効果的に規制することが可能となる。